(57)【要約】【課題】非透水性舗装層との間に雨水の通路となる隙間が生じにくい舗装部の縁部構築用部材を提供することを目的としている。【解決手段】少なくとも非透水性舗装層を有する舗装部の縁部に配置される舗装部の縁部構築用部材において、舗装部の非透水性舗装層の縁部が上方から重なるように敷設される段落部を舗装部側に備えていることを特徴としている。【選択図】　　　図２
2004076289.tif 000002
【特許請求の範囲】
【請求項１】
少なくとも非透水性舗装層を有する舗装部の縁部に配置される舗装部の縁部構築用部材において、舗装部の非透水性舗装層の縁部が上方から重なるように敷設される段落部を舗装部側に備えていることを特徴とする舗装部の縁部構築用部材。
【請求項２】
段落部の少なくとも舗装部側に他の部分より高くなっている部分を備えている請求項１に記載の舗装部の縁部構築用部材。
【請求項３】
排水溝部を有し、この排水溝部の一側壁に沿って段落部が設けられていて、この段落部と排水溝部とを連通する孔が排水溝部の側壁面の穿設されている請求項１または請求項２に記載の舗装部の縁部構築用部材。
【発明の詳細な説明】
【０００１】
【発明の属する技術分野】
本発明は、舗装部の縁部構築用部材に関する。
【０００２】
【従来の技術】
道路や駐車場等の舗装部は、路体等の下地地盤中に雨水等がしみ込まないようにアスファルトやコンクリートなどによって下地地盤の表面を覆うように非透水性舗装層が形成されている。また、昨今は、道路上に水たまりなどができて、スリップ事故などが起こらないように、この非透水性舗装層の上にさらに透水性舗装層が形成されている場合もある。
そして、上記のような舗装部の施工方法は、まず、路体等の下地地盤の舗装部の縁部にあたる部分に縁部構築用部材を用いてＵ字溝、Ｌ字溝、縁石を構築したのち、舗装部に降った雨水がＵ字溝やＬ字溝方向に流れるように表面舗装を施すようになっている。
【０００３】
透水性舗装道路を例にとって具体的に説明すると、たとえば、図６に示すように、主にセメント系組成物を成形して得られた縁部構築用部材としてのＵ字溝形成部材１００を舗装部２００の縁部に当たる路体３００部分に連接して敷設し、Ｕ字溝を構築した後、下地地盤である路体３００上に非透水性舗装層４００を施すとともに、非透水性舗装層４００の上にさらに透水性舗装層５００を形成し、舗装面に降った雨水が、Ｕ字溝を介して、排水経路（図示せず）へ流れるようにしている。
【０００４】
ところで、上記のような舗装構造では、非透水性舗装層４００の縁部から土中へ水がしみ込まないように、Ｕ字溝形成部材１００の側壁面に非透水性舗装層４００の端面が密着するように施工している。
しかし、気温の変化により、非透水性舗装層４００が熱伸縮を繰り返し、Ｕ字溝形成部材１００の側壁面と非透水性舗装層４００の端面との間に隙間が生じる場合がある。そして、このような隙間が生じると、非透水性舗装層４００上をＵ字溝側に流れてきた雨水の一部がこの隙間から路体３００側に流入し、非透水性舗装層４００の下方の路体３００を浸食し、舗装面にひび割れが発生したり、長期間そのまま放置すると、舗装部の陥没などの大事故を招く恐れもある。
【０００５】
【発明が解決しようとする課題】
本発明は、上記事情に鑑みて、非透水性舗装層との間に雨水の通路となる隙間が生じにくい舗装部の縁部構築用部材を提供することを目的としている。
【０００６】
【課題を解決するための手段】
上記目的を達成するために、本発明の請求項１に記載の舗装部の縁部構築用部材（以下、「請求項１の縁部構築用部材」と記す）は、少なくとも非透水性舗装層を有する舗装部の縁部に配置される舗装部の縁部構築用部材において、舗装部の非透水性舗装層の縁部が上方から重なるように敷設される段落部を舗装部側に備えていることを特徴としている。
【０００７】
本発明の請求項２に記載の舗装部の縁部構築用部材（以下、「請求項２の縁部構築用部材」と記す）は、請求項１の縁部構築用部材において、段落部の少なくとも舗装部側に他の部分より高くなっている部分を備えていることを特徴としている。
【０００８】
本発明の請求項３に記載の舗装部の縁部構築用部材（以下、「請求項３の縁部構築用部材」と記す）は、請求項１または請求項２の縁部構築用部材において、排水溝部を有し、この排水溝部の一側壁に沿って段落部が設けられていて、この段落部と排水溝部とを連通する孔が排水溝部の側壁面の穿設されていることを特徴としている。
【０００９】
本発明において、縁部構築用部材としては、特に限定されないが、たとえば、連接することによってＵ字溝を形成するＵ字溝部材、連接することによってＬ字溝を形成するＬ字溝部材、縁石ブロック、会所升等が挙げられる。
縁部構築用部材の材質としては、特に限定されないが、たとえば、セメント系無機硬化体、無機充填材等が入った樹脂成形品等が挙げられる。また、セメント系無機硬化体を形成する組成物中には、再生材料や焼却炉で発生する灰等を骨材等の充填材として添加することが好ましい。
【００１０】
【発明の実施の形態】
以下に、本発明を、その実施の形態をあらわす図面を参照しつつ詳しく説明する。
図１および図２は、本発明にかかる舗装部の縁部構築用部材の第１の実施の形態であるＵ字溝形成部材の１例をあらわしている。
【００１１】
図１および図２に示すように、このＵ字溝形成部材１ａは、セメント系成形硬化体であって、得ようとするＵ字溝の断面形状をした排水溝部２ａを有し、この排水溝部２ａの一方の側壁２１がその肉厚を他方の側壁２２の肉厚より厚くなるように形成されるとともに、その上端部外壁面が断面略Ｌ字形に切り欠かれた状態に形成されることによって段落部３ａを備えている。
側壁２１には、この段落部３ａと排水溝部２ａ内とを連通させる孔５が間欠的に穿設され、この孔５にポーラスコンクリート、ＴＮベース等の透水性の充填材５１が充填されている。
【００１２】
また、段落部３ａは、排水溝部２ａから遠ざかるにつれて徐々にその高さが高くなる勾配に形成されている。
【００１３】
このＵ字溝形成部材１ａは、以上のように構成されており、図２に示すように、舗装部としての道路Ｒの側縁部に敷設してＵ字溝１を構築した後、路体６上にアスファルト製の非透水性舗装層（止水路盤）７をその縁部がＵ字溝形成部材１ａの段落部３ａに下方から受けられるように敷設し、さらに、この非透水性舗装層７の上に透水性舗装層８を敷設することによって、透水性舗装道路Ｒを構築できるようになっている。
すなわち、このようにして形成された道路Ｒの構造によれば、路面に降った雨水は、透水性舗装層８内にしみ込み、その下の非透水性舗装層７によって受けられ、そのテーパによって、両側縁部に設けられたＵ字溝１側に流れ、透水性充填材５１が充填された孔５を介して排水溝部２ａに流れ込み、排水路に排水される。
【００１４】
そして、万一排水溝部２ａの側壁２１と非透水性舗装層７との間に隙間等があいても、非透水性舗装層７の縁部７１がＵ字溝形成部材１ａに設けられた段落部３ａによって下方から受けられるので、雨水が路体６側へ流れない。したがって、非透水性舗装層７とＵ字溝形成部材１ａとの隙間から雨水が路体６側に流れでることが防止され、雨水で路体６が浸食されたりすることを防ぐことができる。すなわち、Ｕ字溝形成部材１ａと非透水性舗装層７との隙間から入り込んだ雨水によって舗装部に亀裂に生じたり、舗装部が陥没したりすることを防止できる。
【００１５】
さらに、このＵ字溝形成部材１ａは、段落部３ａが排水溝部２ａから遠ざかるにつれて徐々にその高さが高くなる勾配に形成されているので、雨水が段落部３ａと非透水性舗装層７との間に入り込んでも、路体６側に雨水が流れ出ることがなく、より確実に非透水性舗装層７とＵ字溝形成部材１ａとの隙間から雨水が路体６側に流れ出ることを防止できる。
また、側壁２１に段落部３ａと排水溝部２ａ内とを連通させる孔５が穿設されているので、非透水性舗装層７の上端面を側壁２１の上端縁に一致するように施工しても、非透水性舗装層７の側面から孔５を介して雨水が排水溝部２ａ内にスムーズに流れ込む。すなわち、舗装部から排水溝部にかけて歩行等の邪魔になる段部が形成されない平坦な状態に舗装することができる。
【００１６】
しかも、孔５に透水性の充填材５１が充填されているので、舗装を行う際に孔５が詰まったりすることがない。
なお、図１、２中、１２は、溝蓋（図示せず）の受け部である。
【００１７】
図３および図４は、本発明にかかる舗装部の縁部構築用部材の第２の実施の形態であるＵ字溝の他の例をあらわしている。
図３および図４に示すように、このＵ字溝形成部材１ｂは、段落部３ｂの底３２が略水平面に形成されていて、段落部３ｂの端縁に沿って底３２の部分より高くなった止水用の突条部３３を備えている以外は、上記の実施の形態と同様になっている。
【００１８】
このＵ字溝形成部材１ｂは、以上のように段落部３ｂの端縁に沿って突条部３３を備えているので、万一排水溝部２ａの側壁２１と非透水性舗装層７との間に隙間等があいて、雨水がその隙間に流入しても、この突条部３３によって止水され、路体６側に雨水が流れ出ることがなく、より確実に非透水性舗装層７とＵ字溝形成部材１ａとの隙間から雨水が路体６側に流れ出ることを防止できる。
【００１９】
図５は、本発明にかかる舗装部の縁部構築用部材の第３の実施の形態であるＬ字溝の１例をあらわしている。
図５に示すように、このＬ字溝形成部材１ｃは、溝部２ｃの側縁に沿って段落部３ｃが設けられ、段落部３ｃと溝部２ｃとの境界部分に裏面側に貫通する排水孔５ｃが間欠的に穿設されている。
【００２０】
段落部３ｃは、第２の実施の形態と同様に非透水性舗装層７の端部を下方から受けるとともに、底３２に突条３３が設けられている。
排水孔５ｃは、第１の実施の形態と同様に透水性の充填材５１が充填されている。
【００２１】
そして、このＬ字溝形成部材１ｃは、図５に示すように、地中に埋設された排水溝９上に配置され、排水孔５ｃを介して雨水等が排水溝９に流れ込み排水経路に排水されるようになっている。また、溝部２ｃに流れ込んだ雨水等は、図示していないが、このＬ字溝形成部材１ｃに連接して設けられる排水孔付きのＬ字溝の排水孔等から排水溝９に流れ込み排水経路に排出されるようになっている。
【００２２】
本発明は、上記の実施の形態に限定されない。たとえば、上記の実施の形態では段落部が勾配になるか突条が設けられていたが、両者を併用しても構わないし、側縁に向かって階段状に高くなるようにしても構わない。
上記の実施の形態では、非透水性舗装層の上に透水性舗装層を施すようにしているが、非透水性細のみでも構わない。
【００２３】
【発明の効果】
本発明にかかる舗装部の縁部構築用部材は、以上のように構成されているので、非透水性舗装層との間に雨水の通路となる隙間が生じにくい。したがって、雨水による非透水性舗装層の下側の路体等の下地地盤の浸食を防止して、舗装部の亀裂や陥没を防ぐことができる。
【００２４】
特に請求項２の縁部構築用部材のようにすれば、段落部と非透水性舗装層との間に雨水がしみ込んでも、非透水性舗装層の下面側に流れ込まない。したがって、より確実に下地地盤の浸食を防止できる。
そして、請求項３の縁部構築用部材のようにすれば、非透水性舗装層の上端面を側壁の上端縁に一致するように施工しても、非透水性舗装層７の側面から孔５を介して雨水が排水溝部内にスムーズに流れ込む。すなわち、舗装部から排水溝部にかけて歩行等の邪魔になる段部が形成されない平坦な状態に舗装することができる。
【図面の簡単な説明】
【図１】本発明にかかる舗装部の縁部構築用部材の第１の実施の形態であるＵ字溝の１例をあらわす斜視図である。
【図２】図１のＵ字溝の施工状態をあらわす断面図である。
【図３】本発明にかかる舗装部の縁部構築用部材の第２の実施の形態であるＵ字溝の他の例をあらわす斜視図である。
【図４】図３のＵ字溝の施工状態をあらわす断面図である。
【図５】本発明にかかる舗装部の縁部構築用部材の第３の実施の形態であるＬ字溝の１例であって、その施工状態をあらわす断面図である。
【図６】従来のＵ字溝の施工状態をあらわす断面図である。
【符号の説明】
１ａ，１ｂ　Ｕ字溝形成部材（縁部構築用部材）
１ｃ　Ｌ字溝形成部材（縁部構築用部材）
２ａ　排水溝部
２ｃ　溝部（排水溝部）
３ａ，３ｂ，３ｃ　段落部
３３　突条
５　孔
５ｃ　排水孔
６　非透水性舗装層
【図１】
2004076289.tif 000003
【図２】
2004076289.tif 000004
【図３】
2004076289.tif 000005
【図４】
2004076289.tif 000006
【図５】
2004076289.tif 000007
【図６】
2004076289.tif 000008